(57)【要約】【課題】容器の底面部近傍に滞留し鉢底の培養土を浸水状態としてしまう水を、容器の底面部近傍から容易に排水することができる植木鉢装置を提供すること。【解決手段】  不透水素材からなる外容器１と、外容器１内に取り出し可能に収納され透水性及び保水性を有する素材からなり内部に培養土を収納し得る内容器２とを備える。外容器１の内側面１ａと内容器２の外側面２ａとの間には、排水用空隙３が形成されており、容器の底面部近傍に滞留した水を、排水用空隙３を介して容易に排水することができる。【選択図】図１
2018014935.tif 000002
【特許請求の範囲】
【請求項１】
不透水素材からなる外容器と、
前記外容器内に取り出し可能に収納され、透水素材からなり、内部に培養土を収納し得る内容器と
を備え、
前記外容器の内側面と、前記内容器の外側面との間には、排水用空隙が形成されていることを特徴とする植木鉢装置。
【請求項２】
前記内容器をなす素材は、透水性に加えて保水性を有していることを特徴とする請求項１記載の植木鉢装置。
【請求項３】
前記内容器をなす素材は、不織布であることを特徴とする請求項１又は２記載の植木鉢装置。
【請求項４】
前記内容器の外底面と、前記外容器の内底面との間に、これら外底面及び内底面を離間させるスペーサ部材が配置されていることを特徴とする請求項１〜３の何れかに記載の植木鉢装置。
【発明の詳細な説明】
【技術分野】
【０００１】
本発明は、植物への潅水及び排水が容易な植木鉢装置に関する。
【背景技術】
【０００２】
従来、植木鉢の内面と培養土との間に、不織布や網状素材からなる給水容器（ポット）を配置した植木鉢装置が提案されている（特許文献１）。この植木鉢装置に係る発明の目的は、潅水した水を給水容器により保水し、この水が培養土の周囲と植木鉢の内面との間の隙間を通して下方へ流出することを防止することである。
【先行技術文献】
【特許文献】
【０００３】
【特許文献１】特開２００１−２０４２７８号公報
【発明の概要】
【発明が解決しようとする課題】
【０００４】
ところで、近年、特に室内において植物を培養する場合には、底面に孔が空いていない容器を植木鉢として用いることが多い。この場合には、潅水した水が容器の底面部近傍に滞留してしまい、鉢底の培養土が浸水状態になり易い。前述のような不織布等からなる給水容器を用いても、容器の底面部近傍における水の滞留は防止できない。
【０００５】
このような場合には容器の底面部近傍からの排水を行う必要があるが、通常の容器や従来の植木鉢装置において、底面部近傍に滞留した水の排水は容易ではない。
【０００６】
そこで、本発明は、容器の底面部近傍に滞留し鉢底の培養土を浸水状態としてしまう水を、容器の底面部近傍から容易に排水することができる植木鉢装置を提供することを課題とする。
【課題を解決するための手段】
【０００７】
前記課題の解決のため、本発明の請求項１に係る植木鉢装置は、不透水素材からなる外容器と、外容器内に取り出し可能に収納され透水素材からなり内部に培養土を収納し得る内容器とを備え、外容器の内側面と内容器の外側面との間には、排水用空隙が形成されていることを特徴とするものである。
【０００８】
本発明の請求項２に係る植木鉢装置は、請求項１記載の植木鉢装置において、内容器をなす素材は、透水性に加えて保水性を有していることを特徴とするものである。
【０００９】
本発明の請求項３に係る植木鉢装置は、請求項１又は２記載の植木鉢装置において、内容器をなす素材は、不織布であることを特徴とするものである。
【００１０】
本発明の請求項４に係る植木鉢装置は、請求項１〜３の何れかに記載の植木鉢装置において、内容器の外底面と外容器の内底面との間に、これら外底面及び内底面を離間させるスペーサ部材が配置されていることを特徴とするものである。
【発明の効果】
【００１１】
本発明に係る植木鉢装置においては、外容器の内側面と内容器の外側面との間には、排水用空隙が形成されているので、外容器を内容器ごと傾ければ、排水用空隙を通して、余剰の水分を容易に排水することができる。
【００１２】
すなわち、本発明は、容器の底面部近傍に滞留し鉢底の培養土を浸水状態としてしまう水を、容器の底面部近傍から容易に排水することができる植木鉢装置を提供することができるものである。
【００１３】
また、この植木鉢装置においては、排水用空隙が形成されていることにより、この排水用空隙を通して、内容器内の培養土に植えられた植物の根に酸素が届き易い。
【００１４】
また、外容器の底面部に排水用の孔を設けた場合であっても、外容器の底部に土の流出を防ぐための栓をする必要はない。
【００１５】
また、内容器の外底面と外容器の内底面との間にスペーサ部材を設置することにより、外容器の底面部に排水孔を設けなくとも、培養土に植えられた植物の根が余剰の水分に浸かってしまうことがない。
さらに、内容器は、植物が植えられた培養土を内部に収納した状態のまま外容器から抜き取ることができ、他の外容器に移すことや、元の外容器に戻すことが容易に行える。また、外容器が破損した場合にも、容易に他の外容器に移すことができる。
【図面の簡単な説明】
【００１６】
【図１】本発明に係る植木鉢装置の分解斜視図である。
【図２】本発明に係る植木鉢装置の断面図である。
【発明を実施するための形態】
【００１７】
以下、本発明の実施の形態について、図面に参照して説明する。
【００１８】
図１は、本発明に係る植木鉢装置の分解斜視図である。
【００１９】
本発明に係る植木鉢装置は、図１に示すように、外容器１及び内容器２を備えて構成されている。
【００２０】
外容器１は、不透水素材からなり、上方が開放されている。外容器１は、側面部が略円筒状又は略角柱状に構成され、下方が底面部により閉蓋されている。外容器１をなす不透水素材としては、合成樹脂材料（プラスチック）、鉱物材料（陶磁器）、金属材料、木材等が挙げられる。
【００２１】
なお、外容器１の底面部には、排水用の孔を設けてもよいし、設けなくともよい。
【００２２】
内容器２は、外容器１内に収納されている。内容器２は、外容器１から取り出し可能である。内容器２は、透水素材からなり、上方が開放されている。内容器２は、側面部が略円筒状に構成され、下方が底面部により閉蓋されている。内容器２をなす透水素材としては、不織布等が挙げられる。内容器２をなす素材は、透水性に加えて保水性をも有していることが好ましい。
【００２３】
内容器２は、内部に培養土１０１を収納し得る。この培養土１０１には、種々の植物１０２が植えられる。なお、内容器２は、植物１０２が植えられた培養土１０１を内部に収納した状態で１年程度経過しても、培養土１０１ごと外容器１から持ち上げることができる程度の強度が維持できる素材からなることが好ましい。
【００２４】
この植木鉢装置においては、内容器２を備えていることにより、外容器１の底面部に排水用の孔を設けた場合であっても、外容器１の底部に土の流出を防ぐための栓をする必要はない。
【００２５】
図２は、本発明に係る植木鉢装置の断面図である。
【００２６】
外容器１の内側面１ａと内容器２の外側面２ａとの間には、図２に示すように、排水用空隙３が形成されている。内容器２は、外形寸法が外容器１の内形寸法より小さく作成されているので、外容器１の内側面１ａと内容器２の外側面２ａとの間には、必ず排水用空隙３が形成される。特に、外容器１を略角筒状に形成した場合には、内容器２が略円筒状に形成されているため、外容器１の角部の隅に排水用空隙３が形成される。
【００２７】
鉢底の培養土は浸水状態になり易いものであるが、この植木鉢装置においては、外容器１を内容器２ごと傾ければ、排水用空隙３を通して、余剰の水分を容易に排水することができる。
【００２８】
なお、排水用空隙３が形成されていることにより、この排水用空隙３を通して、培養土１０１に植えられた植物１０２の根に酸素が届き易くなっている。
【００２９】
そして、内容器２の外底面と外容器１の内底面との間には、これら外底面及び内底面を離間させるスペーサ部材４を配置してもよい。このスペーサ部材４は、合成樹脂材料（プラスチック）、鉱物材料（陶磁器）、金属材料、木材等により、「いげた組み」構造や「波板状」に構成されている。
【００３０】
このスペーサ部材４の設置により、余剰の水分は、内容器２の底面から漏出し外容器１の底部に溜まることになる。このように溜まった余剰の水分は、排水用空隙３を通して迅速に排出することができる。
【００３１】
また、スペーサ部材４の設置により、外容器１の底面部に排水孔を設けなくとも、培養土１０１に植えられた植物１０２の根が余剰の水分に浸かってしまうことがない。
【００３２】
この植木鉢装置においては、内容器２は、植物１０２が植えられた培養土１０１を内部に収納した状態のまま外容器１から抜き取ることができ、他の外容器１に移すことや、元の外容器１に戻すことが容易に行える。このような抜き取り、移設及び戻しは、何度も繰返し行うことができる。また、外容器１が破損した場合にも、容易に他の外容器１に移すことができる。
【００３３】
そのための条件として、内容器２は、外形寸法が外容器１の内形寸法より小さく作成されていることに加えて、内容器２の外側面２ａの高さが外容器１の内側面１ａの高さより高くなっていることが好ましい。また、内容器２は、引っ張る力に対して殆ど伸びない不織布のような素材からなることが好ましい。
【００３４】
このようにして、この植木鉢装置は、植物１０２の育成に関わる不便や苦労を大きく改善することができる。
【符号の説明】
【００３５】
１      外容器
２      内容器
３      排水用空隙
４      スペーサ部材
１０１  培養土
１０２  植物
【図１】
2018014935.tif 000003
【図２】
2018014935.tif 000004